(57)【要約】【課題】パウチの代替が可能で、詰め替えるべき容器の口部にフィットさせることができる注出部を持ったブロー成形薄肉容器を提案する。【解決手段】内容物の充填空間を区画形成するとともに対向する側壁同士を相互に密着させて充填空間の減容を可能とする薄肉の胴体壁部（１）と、この胴体壁部（１）の下端に一体的につながり該胴体壁部（１）を内容物の有無にかかわりなしに起立させる薄肉の底壁部（２）と、前記胴体壁部（１）若しくは底壁部（２）から一体的に突き出しその先端を開放して内容物の注出経路を形成する薄肉の注出部（３）と、前記胴体壁部（１）の上部で胴体壁部（１）の充填空間に内容物を供給する充填部分（４）とを備えたブロー成形スタンディング薄肉容器において、前記注出部（１）を、開口位置によりサイズの異なる口径を有するようにその先端に向けて順次に先細りのセグメント（３ａ、３ｂ）にて構成する。【選択図】図１
2005067672.tif 000002
【特許請求の範囲】
【請求項１】
内容物の充填空間を区画形成するとともに対向する側壁同士を相互に密着させて充填空間の減容を可能とする薄肉の胴体壁部と、この胴体壁部の下端に一体的につながり該胴体壁部を内容物の有無にかかわりなしに起立させる薄肉の底壁部と、前記胴体壁部若しくは底壁部から一体的に突き出しその先端を開放して内容物の注出経路を形成する薄肉の注出部と、前記胴体壁部の上部で胴体壁部の充填空間に内容物を供給する充填部分とを備えたブロー成形スタンディング薄肉容器であって、
前記注出部は、開口位置によりサイズの異なる口径を有するようその先端に向けて順次に先細りのセグメントからなることを特徴とするパウチの代替に適したブロー成形スタンディング薄肉容器。
【請求項２】
前記注出部に、該注出部の先端から充填空間に向けて伸延し内容物の注出に際して容器内の空気を置換する流路管を隣接配置した請求項１記載のブロー成形スタンディング薄肉容器。
【請求項３】
前記セグメントが、先端に向けて順次に先細りの階段状に直列配置したものである請求項１または２記載のブロー成形スタンディング薄肉容器。
【発明の詳細な説明】
【技術分野】
【０００１】
本発明は、合成樹脂製のフィルムや金属製のフィルムにて構成されるパウチの代替に適したブロー成形スタンディング薄肉容器に関するものであり、内容物の注出に際して詰め替えるべき容器の口部に注出部を差し込んで効率的な詰め替えを行うとするものである。
【背景技術】
【０００２】
シャンプーやリンス、液体石鹸、化粧料等を入れておく据え置きタイプの容器は内容物の適量注出を可能とするディスペンサーを装着したものが一般に使用されており、このような容器に内容物を補充するに当たっては、構成材料を極力削減すべく合成樹脂製のフィルムや金属製のフィルムを張り合わせたパウチや合成樹脂（例えば延伸ポリプロピレン樹脂）からなる薄肉ブローボトルが詰め替え容器として用いられている（例えば特許文献１、特許文献２参照）。
【特許文献１】特開平１１−１１４９６号公報
【特許文献２】特開２００２−２２５８４２号公報
【発明の開示】
【発明が解決しようとする課題】
【０００３】
ところで、従来の詰め替え容器のうち、パウチは、容器の減容化が可能であり、しかも製造コストの軽減、使用材料の削減を図ることができることから詰め替え用の容器として幅広く使用されているが、該容器は容器自体に張りがないため注出部を詰め替えるべき容器の口部に差し込むことが不可能で詰め替え時に内容物がこぼれ出てしまう不利があった。
【０００４】
この点、ブロー成形ボトルは、薄肉化されていても容器自体に張りがあり替えるべき容器の口部内に注出部を差し込むことがきるので詰め替え容器に適した利点がある反面、該注出部が詰め替えるべき容器の口部のサイズよりも大きい場合には口部への差し込みが不可能になるからパウチと同様に詰め替え時に内容物がこぼれ出てしまうことが懸念され、しかもこの種の容器はその外観がボトル形状を有しているが故に割高感を与えパウチのような容器に比較すると販売促進に対する消費者へのアピール性に物足りなさが残されていた。
【０００５】
なお、パウチについては、その注出部に硬質の注出管を組付け、該注出管を介して内容物を効率注出する試みがなされているけれども、このようなパウチは構成部材の増加や製造工程の付加が必要不可欠になることから製造コストの上昇を招く不利があり、パウチが本来もっている利点を損ないかねない。
【０００６】
本発明の課題は、パウチ及びブロー成形ボトルがそれぞれもつメリットを生かしつつ、内容物を詰め替えるべき容器に対して安定的に注出できる新規なブロー成形スタンディング薄肉容器を提案するところにある。
【課題を解決するための手段】
【０００７】
本発明は、内容物の充填空間を区画形成するとともに対向する側壁同士を相互に密着させて充填空間の減容を可能とする薄肉の胴体壁部と、この胴体壁部の下端に一体的につながり該胴体壁部を内容物の有無にかかわりなしに起立させる薄肉の底壁部と、前記胴体壁部若しくは底壁部から一体的に突き出しその先端を開放して内容物の注出経路を形成する薄肉の注出部と、前記胴体壁部の上部で胴体壁部の充填空間に内容物を供給する充填部分とを備えたブロー成形スタンディング薄肉容器であって、前記注出部は、開口位置によりサイズの異なる口径を有するようその先端に向けて順次に先細りのセグメントからなることを特徴とするパウチの代替に適したブロー成形スタンディング薄肉容器である。
【０００８】
前記注出部には、該注出部の先端から充填空間に向けて伸延し内容物の注出に際して容器内の空気を置換する流路管を隣接配置することができ、さらに、前記セグメントは先端に向けて順次に先細りの階段状に直列配置したものとすることができる。
【発明の効果】
【０００９】
詰め替えるべき容器の口部のサイズに合わせて管路体のセグメントを選択的に切り離すことで、注出部を詰め替えるべき容器の口部に差し込むことができ、内容物がこぼれ出るようなことはない。
【発明を実施するための最良の形態】
【００１０】
以下、図面を用いて本発明をより具体的に説明する。
【００１１】
図１（ａ）（ｂ）は本発明に従う容器の実施の形態を示したものであり、図における１は内容物の充填空間を区画形成するとともに対向する側壁同士を相互に密着させて該充填空間の減容を可能とする薄肉の胴体壁部、２は胴体壁部の下端に一体的につながり該胴体壁部１を内容物の有無にかかわりなしに起立させる薄肉の底壁部である。
【００１２】
また、３は胴体壁部１の上端隅部から一体的に突き出しその先端を鋏によるカットにて開放し内容物の注出経路を形成する薄肉の注出部、４は胴体壁部１の上部で該注出部３に隣接して設けられ胴体壁部１の充填空間に内容物を供給する充填部分であって、この充填部分４は内容物の充填後にその開放端を熱融着等によって密封することができるようになっている。
【００１３】
また、５は注出部３と充填部分４の相互間に形成される谷間、６は注出部３の上部に隣接配置され該注出部３の先端から充填空間に向けて伸延する空気置換流路管である。
【００１４】
注出部３は、サイズの異なる口径を有し該注出部３の先端に向けて順次に先細りの階段状に直列配置したセグメント３ａ、３ｂからなっていて、詰め替えるべき容器の口部のサイズに応じて各セグメント３ａ、３ｂの境界Ａ、Ｂの何れかを選択してカットすることで注出部３の口径サイズの変更が可能になる。
【００１５】
注出部３に沿って空気置換流路管６を設けたような場合には、図示の如く該流路管６は注出部３と線対称になるような形状を採用する。
【００１６】
本発明に従う容器は、ポリエチレン・ポリプロピレンやポリエチレンテレフタレート等の合成樹脂をブロー成形することによって製造するものであり、折畳みによるコンパクト化を可能とするため、その肉厚は０．０５〜０．５mm程度とするのが好ましい。
【００１７】
図２は本発明に従う容器の他の実施の形態を示したものである。上掲図１では、注出部３を胴体壁部１の上端隅部から一体的に突き出した例として示したが、該注出部３は底壁部２から注出時には突き出され起立時には胴体壁部１内方に向けて陥没可能なポップアップタイプとしてもよく、注出部３の形成位置は用途に応じて種々変更することができる。
【００１８】
容器は単一の樹脂で構成された構造のものや２種以上の樹脂を積層構成したもの、さらにはエチレンビニルアルコール共重合体やナイロンなどのバリア層を含む２種以上の樹脂で構成された多層構造のものが適用可能でありこの点については限定されない。また、底壁部２については、図示はしないが凹又は凸状のラインを形成しておくことが可能であり、これにより容器が折り畳み易くなる。
【００１９】
また、注出部３は２つのセグメント３ａ、３ｂを配置した場合を例として示したが、その個数は必要に応じて増減できる。さらには、図示はしないが、階段状のセグメントではなく単に先端に向けて先細りのセグメントを採用することも可能である。
【産業上の利用可能性】
【００２０】
パウチと同様に容器の折畳みによる減容化が可能であり、しかも、内容物の注出に際して詰め替えるべき容器の口部のサイズに合わせて注出部のサイズを変更できるので内容物がこぼれ出ることがなく、詰め替え容器としての幅広い用途に使用できる。
【図面の簡単な説明】
【００２１】
【図１】本発明の実施の形態を示した図であり、（ａ）は正面図、（ｂ）は側面図である。
【図２】本発明の他の実施の形態を示した図である。
【符号の説明】
【００２２】
１  胴体壁部
２  底壁部
３  注出部
３ａ  セグメント
３ｂ  セグメント
４  充填部分
５  谷間
６  空気置換流路管
Ａ  境界
Ｂ  境界
【図１】
2005067672.tif 000003
【図２】
2005067672.tif 000004